(57)【特許請求の範囲】
【請求項１】
実装部品が搭載されているプリント基板と、前記プリント基板の下方にある下ケースと、前記下ケースの下方にあるバッテリケースと、前記バッテリケースの下方にあるバッテリセルと、を備え、
前記下ケースには、前記実装部品を受ける第１の受けリブが設けられ、前記バッテリケースには、前記バッテリセルを受ける第２の受けリブが設けられ、前記第２の受けリブは、前記第１の受けリブの直下方に設けられている
ことを特徴とする携帯端末装置。
【請求項２】
前記バッテリセルの表面は、金属で構成されていることを特徴とする請求項１に記載の携帯端末装置。
【請求項３】
前記第１の受けリブまたは前記第２の受けリブは、メッシュ状であることを特徴とする請求項１または２に記載の携帯端末装置。
【発明の詳細な説明】
【０００１】
【発明の属する技術分野】
本発明は携帯端末装置、特に携帯電話やＰＨＳなどの機能部品を収納するケースの構造に関し、特に携帯端末装置本体の小型化、薄型化に伴う曲げやねじりなどに対して機能部品の損傷が起きないようにケースの機械的強度及び剛性を増加させるよう構成したものである。
【０００２】
【従来の技術】
近年、携帯端末装置、特に携帯電話やＰＨＳなどは各社とも新製品開発の中で携帯端末装置本体の小型化、軽量化、薄型化といった軽薄短小化の動きが活発化している。それに伴い携帯端末装置本体を収容するケースの機械的強度はケースの薄肉化やケースの剛性の低下などで脆弱化していく傾向にある。
【０００３】
従来の携帯電話、ＰＨＳなどの携帯端末装置の構成について、図６から図１０を用いて以下説明する。
【０００４】
図６は、従来の携帯端末装置の構成を示すものである。図６において携帯端末装置は、下ケース11の上部に実装部品13が搭載されたプリント基板12が、また、下部からはバッテリ14が搭載されるように構成されている。
【０００５】
周知のようにプリント基板12には、上記した実装部品13以外の多くの細かな部品が実装され、さらに配線も施されており、プリント基板12を下ケース11に収納するに当たってはプリント基板12が平らになるように且つ実装部品13に当たらないように当て面を適当に配置して、プリント基板12を載置している。
【０００６】
図７は、このようにして構成された携帯端末装置の収納構造を示す側面断面図である。図７において下ケース11、プリント基板12および実装部品13のそれぞれの配置の関係が明らかにされており、下ケース11から実装部品13を支える構造にはなっていない。
【０００７】
図８は、図７とは異なる側面から見た、携帯端末装置の収納構造を示す側面断面図である。図８においても下ケース11、プリント基板12および実装部品13のそれぞれの配置関係が明らかにされており、下ケース11から実装部品13を支える構造にはなっていないのが理解されるであろう。また、図８においてはプリント基板12を真中で支える当て面も図示されており、この当て面は上述したようにプリント基板12が平らになるように且つ実装部品13に当たらないように配置されているのが理解されるであろう。なお、図８には携帯端末装置の構成として、キーボタン16、上ケース17、バッテリケース18およびバッテリセル19も図示されている。
【０００８】
図９は、図８において一部を拡大した側面断面図である。図９において注目すべき事項は、下ケース11、プリント基板12および実装部品13の位置関係であり、図９はその動作前の位置関係であることを示している。
【０００９】
図１０は、図９においてキーボタン16を図示した矢印方向から押した場合の動作時の側面断面図である。図１０においてキーボタン16が押されることにより、まずプリント基板12が変形し、次いで実装部品13が変形し、さらに実装部品13が下ケース11に当接して、下ケース11も変形してしまうという問題を有している。更には下ケース11の変形に伴いバッテリケース18も変形してしまうという問題を有している。
【００１０】
なお、図１０にはキーボタン16が押されることによってプリント基板12が変形するプリント基板12の変形量Ｂが示されており、これ未満であれば上記した変形に至らないが、上記したように軽薄短小化の動きの中でケースの薄肉化やケースの剛性の低下などで機械的強度が脆弱化している現状では従来構成のままではこの変形量をオーバーしてしまうという問題があった。
【００１１】
【発明が解決しようとする課題】
本発明は、上記従来の問題点を解決するもので、携帯端末装置本体の小型化、薄型化に伴う曲げやねじりなどに対して機能部品の損傷が起きないようにケースの機械的強度及び剛性を増加させるよう構成した携帯端末装置を提供することを目的とする。
【００１２】
【課題を解決するための手段】
上記の問題点を解決するために、本発明の携帯端末装置は、実装部品が搭載されているプリント基板と、前記プリント基板の下方にある下ケースと、前記下ケースの下方にあるバッテリケースと、前記バッテリケースの下方にあるバッテリセルと、を備え、
前記下ケースには、前記実装部品を受ける第１の受けリブが設けられ、前記バッテリケースには、前記バッテリセルを受ける第２の受けリブが設けられ、前記第２の受けリブは、前記第１の受けリブの直下方に設けられていることを特徴としている。
【００１３】
この構成によって、携帯端末装置本体の小型化、薄型化に伴う曲げやねじりなどに対して機能部品の損傷が起きないようにケースの機械的強度及び剛性を増加させるよう構成した携帯端末装置を提供することができる。
【００１４】
【発明の実施の形態】
以下、本発明の実施の形態について、図１から図５を用いて説明する。
【００１５】
図１は、本発明の実施形態における携帯端末装置の構成を示す図である。図１において携帯端末装置は、下ケース１の上部に実装部品３が搭載されたプリント基板２が、また、下部からはバッテリ４が搭載されるように構成されている。
【００１６】
プリント基板２には、上記した実装部品３以外の多くの細かな部品が実装され、さらに配線も施されているが、本発明の実施形態における携帯端末装置の下ケース１には、従来のような当て面の外に、実装部品３の配置位置に対応して実装部品３を支える矩形のリブが植立されている。そうした上で、プリント基板２を下ケース１に載置している。なお、リブの形状は上記した矩形に限定されず、円形でも楕円形でもよく、また実装部品３の四隅だけを支える鈎のような形状でも構わず、その上、形状内がメッシュ状にされていても構わない。さらに、こうしたリブは主に実装部品、特にパッケージ化された機能部品の対応箇所に植立されるのが望ましい。
【００１７】
図２は、このようにして構成された本発明の実施形態における携帯端末装置の収納構造を示す側面断面図である。図２において下ケース１、プリント基板２、実装部品３および受けリブ５のそれぞれの配置関係が明らかにされており、下ケース１から植立された受けリブ５によって実装部品３が支えられる構造になっている。
【００１８】
図３は、図２とは異なる側面から見た、本発明の実施形態における携帯端末装置の収納構造を示す側面断面図である。図３においても下ケース１、プリント基板２、実装部品３および受けリブ５のそれぞれの配置関係が明らかにされており、下ケース１から植立された受けリブ５によって実装部品３が支えられる構造になっているのが理解されるであろう。また、図３においてはプリント基板２を真中で支える当て面も図示されており、この当て面はプリント基板２が平らになるように且つ実装部品３に当たらないように配置されている。なお、図３には携帯端末装置の構成として、キーボタン６、上ケース７、バッテリケース８、バッテリセル９およびバッテリケース８に植立された受けリブ10も図示されている。なお、リブの形状は上記した矩形に限定されず、円形でも楕円形でもよく、また四隅だけを支える鈎のような形状でも構わず、その上、形状内がメッシュ状にされていても構わない。
【００１９】
図４は、図３において一部を拡大した側面断面図である。図４において注目すべき事項は、下ケース１、プリント基板２、実装部品３、受けリブ５および受けリブ10の位置関係であり、図４はその動作前の位置関係であることを示している。
【００２０】
図５は、図４においてキーボタン６を図示した矢印方向から押した場合の動作時の側面断面図である。図５においてキーボタン６が押されることにより、プリント基板２が変形するも実装部品３は受けリブ５によってしっかりと支えられているのでほとんど変形せずにそのまま下ケース１が押されて下ケース１が変形している様子が示されている。
【００２１】
下ケース１の変形量が大きくてバッテリケース８が変形したと仮定する。しかし、バッテリケース８には、下ケース１に植立された受けリブ５と同一位置に受けリブ10が植立されており、これがバッテリセル９に当接するようになるもこのバッテリセル９の表面は金属で構成されているので変形は起きず、従来のように大きく変形して実装部品が機能しなくなるという虞れは全くない。
【００２２】
なお、図５にはキーボタン６が押されることによってプリント基板２が変形するプリント基板２の変形量Ａが示されており、これは従来のプリント基板の変形量Ｂよりもかなり小さいので、上記したように軽薄短小化の動きの中でケースの薄肉化やケースそのものの剛性が低下したとしてもプリント基板２の変形量Ａどまりであり、従来のように大きく変形して実装部品が機能しなくなるという虞れは全くない。
【００２３】
【発明の効果】
以上のように本発明の携帯端末装置は、実装部品が搭載されているプリント基板と、前記プリント基板の下方にある下ケースと、前記下ケースの下方にあるバッテリケースと、前記バッテリケースの下方にあるバッテリセルと、を備え、前記下ケースには、前記実装部品を受ける第１の受けリブが設けられ、前記バッテリケースには、前記バッテリセルを受ける第２の受けリブが設けられ、前記第２の受けリブは、前記第１の受けリブの直下方に設けられていることを特徴としているものであり、携帯端末装置本体の小型化、薄型化に伴う曲げやねじりなどに対して機能部品の損傷が起きないようにケースの機械的強度及び剛性を増加させることができるという効果を有する。
【図面の簡単な説明】
【図１】本発明の実施の形態における携帯端末装置の構成を示す図、
【図２】本発明の実施形態における携帯端末装置の収納構造を示す側面断面図、
【図３】本発明の実施形態における携帯端末装置の収納構造を示す別の側面断面図、
【図４】図３において一部を拡大した側面断面図、
【図５】図４においてキーボタンを押した場合の動作時の側面断面図、
【図６】従来の携帯端末装置ケースの構造を示す図、
【図７】従来の携帯端末装置の収納構造を示す側面断面図、
【図８】従来の携帯端末装置の収納構造を示す別の側面断面図、
【図９】図８において一部を拡大した側面断面図、
【図１０】図９においてキーボタンを押した場合の動作時の側面断面図である。
【符号の説明】
１、11  下ケース
２、12  プリント基板
３、13  実装部品
４、14  バッテリ
５、10  受けリブ
６、16  キーボタン
７、17  上ケース
８、18  バッテリケース
９、19  バッテリセル
【図１】
0003747997.tif 000002
【図２】
0003747997.tif 000003
【図３】
0003747997.tif 000004
【図４】
0003747997.tif 000005
【図５】
0003747997.tif 000006
【図６】
0003747997.tif 000007
【図７】
0003747997.tif 000008
【図８】
0003747997.tif 000009
【図９】
0003747997.tif 000010
【図１０】
0003747997.tif 000011